(57)【要約】【課題】被冷却体の冷却効率を向上させることができる冷却器を提供する。【解決手段】冷却器は、冷媒流路内を冷媒が流通することによって、搭載部に搭載された被冷却体を冷却する冷却器であって、前記冷媒流路内に配置された放熱部が、前記冷媒流路の流れ方向に沿う第１方向に進むに従って、前記搭載部側に近づくように形成された複数の第１面と、前記第１方向に進むに従って、前記搭載部から離れるように形成された複数の第２面とを備え、前記複数の第１面と前記複数の第２面とが、前記第１方向において、交互に配置されている。【選択図】図１
2019201101.tif 000002
【特許請求の範囲】
【請求項１】
冷媒流路内を冷媒が流通することによって、搭載部に搭載された被冷却体を冷却する冷却器であって、
前記冷媒流路内に配置された放熱部が、
前記冷媒流路の流れ方向に沿う第１方向に進むに従って、前記搭載部側に近づくように形成された複数の第１面と、
前記第１方向に進むに従って、前記搭載部から離れるように形成された複数の第２面とを備え、
前記複数の第１面と前記複数の第２面とが、前記第１方向において、交互に配置されている、
冷却器。
【請求項２】
前記第１面は、前記第１方向に進むに従って、前記第１方向に直交しかつ前記搭載部に平行な第２方向の一方側に近づくように形成された第１部分を有し、
前記第２面は、前記第１方向に進むに従って、前記第２方向の他方側に近づくように形成された第２部分を有する、
請求項１に記載の冷却器。
【請求項３】
前記第１面と前記第２面とは、前記第１方向に見たときに、前記第２方向において互いにずれた位置に形成されている、
請求項２に記載の冷却器。
【請求項４】
前記複数の第１面のそれぞれは、前記第１方向に見たときに、互いに重なる位置に形成されており、
前記複数の第２面のそれぞれは、前記第１方向に見たときに、互いに重なる位置に形成されている、
請求項１から請求項３のいずれか一項に記載の冷却器。
【請求項５】
前記放熱部は、少なくとも、
前記第１方向に延びている第１フィンと、
前記第２方向に前記第１フィンに隣接して配置され、かつ、前記第１方向に延びている第２フィンとを含み、
前記第１フィンおよび前記第２フィンのそれぞれは、前記第１部分を有する前記第１面と、前記第２部分を有する前記第２面とを備え、
前記第１フィンおよび前記第２フィンの一方は、前記第１方向に見たときに、前記第１方向に進むに従って時計回りに旋回する冷媒の流れを形成し、
前記第１フィンおよび前記第２フィンの他方は、前記第１方向に見たときに、前記第１方向に進むに従って反時計回りに旋回する冷媒の流れを形成する、
請求項２に記載の冷却器。
【請求項６】
前記第１方向に見たときに、前記第１フィンの前記第１面と前記第２フィンの前記第１面とが、あるいは、前記第１フィンの前記第２面と前記第２フィンの前記第２面とがオーバーラップしている、
請求項５に記載の冷却器。
【請求項７】
前記被冷却体は、前記第２方向において、前記第１面が配置されている箇所に配置されている、
請求項２に記載の冷却器。
【発明の詳細な説明】
【技術分野】
【０００１】
本発明は、冷却器に関する。
【背景技術】
【０００２】
従来、冷却液の導入口・排出口の接続部等の形状に改良を加えて、その接続部等における圧力損失を低減させる冷却器を備える半導体装置が知られている（例えば、特許文献１参照）。この半導体装置の冷却器は、ケースの互いに対向する側壁で対角の位置に設けられた導入口及び排出口と、導入口に接続しケース内に形成された導入路と、排出口に接続しケース内に形成された排出路と、導入路と排出路の間の冷却用流路とを有している。
【先行技術文献】
【特許文献】
【０００３】
【特許文献１】特開２０１５−０７９８１９号公報
【発明の概要】
【発明が解決しようとする課題】
【０００４】
ところで、特許文献１に記載された半導体装置の冷却器では、半導体素子（被冷却体）側に近づく冷媒の流れ、および、半導体素子（被冷却体）から離れる冷媒の流れが冷却用流路内に形成されない。そのため、特許文献１に記載された半導体装置の冷却器では、半導体素子（被冷却体）の冷却効率を十分に向上させることができないおそれがある。
【０００５】
上述した問題点に鑑み、本発明は、被冷却体の冷却効率を向上させることができる冷却器を提供することを目的とする。
【課題を解決するための手段】
【０００６】
（１）本発明の一態様に係る冷却器は、冷媒流路内を冷媒が流通することによって、搭載部に搭載された被冷却体を冷却する冷却器であって、前記冷媒流路内に配置された放熱部が、前記冷媒流路の流れ方向に沿う第１方向に進むに従って、前記搭載部側に近づくように形成された複数の第１面と、前記第１方向に進むに従って、前記搭載部から離れるように形成された複数の第２面とを備え、前記複数の第１面と前記複数の第２面とが、前記第１方向において、交互に配置されている。
【０００７】
（２）上記（１）に記載の冷却器では、前記第１面は、前記第１方向に進むに従って、前記第１方向に直交しかつ前記搭載部に平行な第２方向の一方側に近づくように形成された第１部分を有し、前記第２面は、前記第１方向に進むに従って、前記第２方向の他方側に近づくように形成された第２部分を有してもよい。
【０００８】
（３）上記（２）に記載の冷却器では、前記第１面と前記第２面とは、前記第１方向に見たときに、前記第２方向において互いにずれた位置に形成されていてもよい。
【０００９】
（４）上記（１）から（３）のいずれかに記載の冷却器では、前記複数の第１面のそれぞれは、前記第１方向に見たときに、互いに重なる位置に形成されており、前記複数の第２面のそれぞれは、前記第１方向に見たときに、互いに重なる位置に形成されていてもよい。
【００１０】
（５）上記（２）に記載の冷却器では、前記放熱部は、少なくとも、前記第１方向に延びている第１フィンと、前記第２方向に前記第１フィンに隣接して配置され、かつ、前記第１方向に延びている第２フィンとを含み、前記第１フィンおよび前記第２フィンのそれぞれは、前記第１部分を有する前記第１面と、前記第２部分を有する前記第２面とを備え、前記第１フィンおよび前記第２フィンの一方は、前記第１方向に見たときに、前記第１方向に進むに従って時計回りに旋回する冷媒の流れを形成し、前記第１フィンおよび前記第２フィンの他方は、前記第１方向に見たときに、前記第１方向に進むに従って反時計回りに旋回する冷媒の流れを形成してもよい。
【００１１】
（６）上記（５）に記載の冷却器では、前記第１方向に見たときに、前記第１フィンの前記第１面と前記第２フィンの前記第１面とが、あるいは、前記第１フィンの前記第２面と前記第２フィンの前記第２面とがオーバーラップしていてもよい。
【００１２】
（７）上記（２）に記載の冷却器では、前記被冷却体は、前記第２方向において、前記第１面が配置されている箇所に配置されていてもよい。
【発明の効果】
【００１３】
上記（１）に記載の冷却器では、冷媒流路内に配置された放熱部が、冷媒流路の流れ方向に沿う第１方向に進むに従って被冷却体側に近づくように形成された複数の第１面と、第１方向に進むに従って被冷却体から離れるように形成された複数の第２面とを備えている。
そのため、上記（１）に記載の冷却器では、第１面によって被冷却体側に近づく冷媒の流れを形成すると共に、第２面によって被冷却体から離れる冷媒の流れを形成することができる。その結果、被冷却体側に近づく冷媒の流れおよび被冷却体から離れる冷媒の流れが形成されない場合よりも、被冷却体を冷却することなく冷媒流路を通過してしまう冷媒の流れを低減し、被冷却体の冷却効率を向上させることができる。
【００１４】
上記（２）に記載の冷却器では、第１面が上述した第１部分を有し、第２面が上述した第２部分を有してもよい。
そのように構成される場合、第１部分によって、第１方向に直交しかつ搭載部に平行な第２方向の一方側に近づく冷媒の流れを形成すると共に、第２部分によって第２方向の他方側に近づく冷媒の流れを形成することができる。その結果、第２方向の一方側に近づく冷媒の流れおよび第２方向の他方側に近づく冷媒の流れが形成されない場合よりも、被冷却体を冷却することなく冷媒流路を通過してしまう冷媒の流れを低減し、被冷却体の冷却効率を向上させることができる。
【００１５】
上記（３）に記載の冷却器では、第１面と第２面とは、第１方向に見たときに、第２方向において互いにずれた位置に形成されていてもよい。
そのように構成される場合、第１面によって形成された被冷却体側に近づく冷媒の流れと、第２面によって形成された被冷却体から離れる冷媒の流れとが衝突するおそれを抑制することができる。
【００１６】
上記（４）に記載の冷却器では、複数の第１面のそれぞれは、第１方向に見たときに、互いに重なる位置に形成されていてもよい。
そのように構成される場合、複数の第１面のそれぞれが第１方向に見たときに互いに重なる位置に形成されない場合よりも、被冷却体側に近づく冷媒の流れをまとめて強くすることができる。その結果、被冷却体を冷却することなく冷媒流路を通過してしまう冷媒の流れを低減し、被冷却体の冷却効率を向上させることができる。
上記（４）に記載の冷却器では、複数の第２面のそれぞれは、第１方向に見たときに、互いに重なる位置に形成されていてもよい。
そのように構成される場合、複数の第２面のそれぞれが第１方向に見たときに互いに重なる位置に形成されない場合よりも、被冷却体から離れる冷媒の流れをまとめて強くすることができる。その結果、被冷却体を冷却することなく冷媒流路を通過してしまう冷媒の流れを低減し、被冷却体の冷却効率を向上させることができる。
【００１７】
上記（５）に記載の冷却器では、第１方向に見たときに第１方向に進むに従って時計回りに旋回する冷媒の流れを形成する放熱部の第１フィンおよび第２フィンの一方と、第１方向に見たときに第１方向に進むに従って反時計回りに旋回する冷媒の流れを形成する放熱部の第１フィンおよび第２フィンの他方とが、第２方向に隣接して配置されていてもよい。
そのように構成される場合、放熱部が第１フィンおよび第２フィンを含まない場合よりも、第１方向に交差する冷媒の流れを強くすることができ、被冷却体の冷却効率を向上させることができる。
【００１８】
上記（６）に記載の冷却器では、第１方向に見たときに、第１フィンの第１面と第２フィンの第１面とがオーバーラップしていてもよい。
そのように構成される場合、第１方向に見たときに第１フィンの第１面と第２フィンの第１面とがオーバーラップしていない場合よりも、被冷却体側に近づく冷媒の流れを強くすることができ、被冷却体の冷却効率を向上させることができる。
上記（６）に記載の冷却器では、第１方向に見たときに、第１フィンの第２面と第２フィンの第２面とがオーバーラップしていてもよい。
そのように構成される場合、第１方向に見たときに第１フィンの第２面と第２フィンの第２面とがオーバーラップしていない場合よりも、被冷却体から離れる冷媒の流れを強くすることができ、被冷却体の冷却効率を向上させることができる。
【００１９】
上記（７）に記載の冷却器では、被冷却体は、第２方向において、第１面が配置されている箇所に配置されていてもよい。
そのように構成される場合、被冷却体が第２方向の第１面が配置されていない箇所に配置されている場合よりも、冷媒の流れを、搭載部のうちの被冷却体が搭載されている箇所に当てることによって、被冷却体の冷却効率を向上させることができる。
【図面の簡単な説明】
【００２０】
【図１】第１実施形態の冷却器の一例を示す図である。
【図２】図１（Ｂ）中のＡ−Ａ線に沿った冷却部の断面図である。
【図３】フィンの断面形状の変化を説明するための図である。
【図４】図１（Ｂ）中のＡ１−Ａ１線に沿った冷却部の部分断面図である。
【図５】第２実施形態の冷却器の一例を示す図である。
【図６】図５（Ｂ）中のＱ−Ｑ線に沿った冷却部の断面図である。
【図７】第３実施形態の冷却器の一例を示す図である。
【図８】図７（Ｂ）中のＲ−Ｒ線に沿った冷却部の部分断面図である。
【図９】第３実施形態の冷却器のフィンの斜視図である。
【図１０】第４実施形態の冷却器の一例を示す図である。
【図１１】第１から第５実施形態の冷却器を適用可能な車両の一部の一例を示す図である。
【発明を実施するための形態】
【００２１】
以下、本発明の冷却器の実施形態について添付図面を参照しながら説明する。
【００２２】
＜第１実施形態＞
図１は第１実施形態の冷却器２の一例を示す図である。詳細には、図１（Ａ）は第１実施形態の冷却器２の被冷却体３と冷却部４の内部構造との関係などを示す図である。図１（Ｂ）は図１（Ａ）中の冷却部４のみを抽出して示した図である。図２は図１（Ｂ）中のＡ−Ａ線に沿った冷却部４の断面図である。図３はフィン７Ａの断面形状の変化を説明するための図である。詳細には、図３（Ａ）は図１（Ｂ）中のＡ−Ａ線に沿ったフィン７Ａなどの断面図である。図３（Ｂ）は図１（Ｂ）中のＢ−Ｂ線に沿ったフィン７Ａなどの断面図である。図３（Ｃ）は図１（Ｂ）中のＣ−Ｃ線に沿ったフィン７Ａなどの断面図である。図３（Ｄ）は図１（Ｂ）中のＤ−Ｄ線に沿ったフィン７Ａなどの断面図である。図３（Ｅ）は図１（Ｂ）中のＥ−Ｅ線に沿ったフィン７Ａなどの断面図である。図３（Ｆ）は図１（Ｂ）中のＦ−Ｆ線に沿ったフィン７Ａなどの断面図である。図４は図１（Ｂ）中のＡ１−Ａ１線に沿った冷却部４の部分断面図である。
【００２３】
図１〜図４に示す例では、冷却器２が、被冷却体３と、被冷却体３を冷却する冷却部４とを備えている。被冷却体３は、冷却の必要がある公知の任意の物であり、例えば発熱体である。発熱体には、例えばスイッチング素子ＵＨ、ＵＬ、ＶＨ、ＶＬ、ＷＨ、ＷＬ、Ｓ１、Ｓ２（図１１参照）を有するパワーモジュール（パワー半導体モジュール）２１（図１１参照）などが含まれる。
冷却部４は、搭載部５と、放熱部６と、ケース部８とを備えている。搭載部５の一方（図１（Ａ）の上側）の面には、被冷却体３が搭載されている。搭載部５の他方（図１（Ａ）の下側）の面と、ケース部８の内側表面とによって、冷媒流路９が画定されている。
放熱部６は、搭載部５を介して被冷却体３に熱的に接続されている。また、放熱部６は、冷媒流路９内に配置されている。冷媒は、冷媒流路９内を流通する。
【００２４】
第１方向Ｄ１（図２の左右方向、図３の左右方向、図４の上下方向）は、冷媒流路９内における冷媒の主要な流れ方向（図２の左右方向、図３の左右方向、図４の上下方向）に沿っている。つまり、図１〜図４に示す例では、冷媒が、主に、第１方向Ｄ１の一方の側（図２の右向き、図３の右向き、図４の上向き）に冷媒流路９内を進む（流れる）。
冷媒流路９内を流通する冷媒が放熱部６を冷却し、それに伴って、放熱部６に熱的に接続された被冷却体３が冷却される。
【００２５】
仮に、冷媒流路９内を流通する冷媒が放熱部６を冷却することなく、冷媒流路９内を素通りしてしまうと、被冷却体３を十分に冷却できないおそれがある。
この点に鑑み、第１実施形態の冷却器２は、下記のように構成されている。
【００２６】
図１〜図４に示す例では、放熱部６が、第１方向Ｄ１（図２の左右方向、図３の左右方向、図４の上下方向）に延びている例えば５つのフィン７Ａ、７Ｂ、７Ｃ、７Ｄ、７Ｅを含む。
他の例では、放熱部６が、第１方向Ｄ１に延びている１つのフィン７Ａのみを含んでいてもよい。
【００２７】
図１〜図４に示す例では、フィン７Ａは、第１方向Ｄ１に直交しかつ搭載部５に平行な第２方向Ｄ２（図１（Ａ）、図１（Ｂ）および図４の左右方向）にフィン７Ｂに隣接して配置されている。フィン７Ｂは、第２方向Ｄ２にフィン７Ｃに隣接して配置されている。フィン７Ｃは、第２方向Ｄ２にフィン７Ｄに隣接して配置されている。フィン７Ｄは、第２方向Ｄ２にフィン７Ｅに隣接して配置されている。図１（Ｂ）に示す第３方向Ｄ３は、第１方向Ｄ１および第２方向Ｄ２に直交する高さ方向である。
【００２８】
図１〜図４に示す例では、フィン７Ａ、７Ｂ、７Ｃ、７Ｄ、７Ｅは、螺旋形状（詳細には、公知のオーガースクリューのうちの中心軸部分が存在しない形状）に形成されている。後述するように、螺旋形状のフィン７Ａ、７Ｂ、７Ｃ、７Ｄ、７Ｅは、冷媒の流れを図１（Ｂ）、図２および図３の上下方向（高さ方向Ｄ３）に積極的に誘導する（移動させる）。
他の例では、フィン７Ａ、７Ｂ、７Ｃ、７Ｄ、７Ｅが、螺旋形状以外の形状に形成されていてもよい。
【００２９】
図１〜図４に示す例では、例えば図１（Ｂ）中の位置Ｐ１を第１方向Ｄ１（図２の右向き、図３の右向き、図４の上向き）に進む冷媒が、まず、フィン７Ａの左側の面６Ｂに当たる。
図１（Ｂ）、図２、図３（Ｄ）、図３（Ｅ）および図４に示すように、フィン７Ａの左側の面６Ｂは、左側の面６Ｂの下側部分Ｂ１（図３（Ｄ）および図３（Ｅ）の下側の部分）が、左側の面６Ｂのうちの上側（図１（Ｂ）、図２、図３（Ｄ）および図３（Ｅ）の上側）の部分よりも奥側（図２の右側、図３（Ｄ）および図３（Ｅ）の右側、図４の上側）に位置するように、傾斜している。
そのため、フィン７Ａの左側の面６Ｂに当たった後の冷媒の流れは、第１方向Ｄ１に見たときに（つまり、図１（Ｂ）中では）、図１（Ｂ）中の位置Ｐ１から、フィン７Ａの中心軸線のまわりを反時計回りに旋回する流れ（図１（Ａ）中のフィン７Ａ上の矢印参照）になる。
【００３０】
フィン７Ａの左側の面６Ｂに当たって流れの向きを変えた冷媒は、次いで、フィン７Ａの左側の面６Ｂの下側部分Ｂ１に沿って流れる。
図１（Ｂ）、図２および図４に示すように、フィン７Ａの左側の面６Ｂの下側部分Ｂ１は、下側部分Ｂ１のうちの右側（図１（Ｂ）および図４の右側）の部分が、下側部分Ｂ１のうちの左側（図１（Ｂ）および図４の左側）の部分よりも奥側（図２の右側、図４の上側）に位置するように、傾斜している。
そのため、フィン７Ａの左側の面６Ｂの下側部分Ｂ１に沿う冷媒の流れは、第１方向Ｄ１に見たときに（つまり、図１（Ｂ）中では）、第１方向Ｄ１（図２の右向き、図４の上向き）に進むに従って、フィン７Ａの中心軸線のまわりを反時計回りに旋回する流れ（図１（Ａ）中のフィン７Ａ上の矢印参照）になる。
【００３１】
フィン７Ａの左側の面６Ｂの下側部分Ｂ１に沿って流れた冷媒は、次いで、フィン７Ａの右側の面６Ａに沿って流れる。
図１（Ｂ）、図２、図３（Ａ）、図３（Ｂ）、図３（Ｃ）および図４に示すように、フィン７Ａの右側の面６Ａは、右側の面６Ａの上側部分Ａ１（図３（Ａ）〜図３（Ｃ）の上側の部分）が、右側の面６Ａのうちの下側（図１（Ｂ）、図２および図３（Ａ）〜図３（Ｃ）の下側）の部分よりも奥側（図２の右側、図３（Ａ）〜図３（Ｃ）の右側、図４の上側）に位置するように、傾斜している。
そのため、フィン７Ａの右側の面６Ａに沿う冷媒の流れは、第１方向Ｄ１に見たときに（つまり、図１（Ｂ）中では）、第１方向Ｄ１（図２の右向き、図４の上向き）に進むに従って、フィン７Ａの中心軸線のまわりを反時計回りに旋回する流れ（図１（Ａ）中のフィン７Ａ上の矢印参照）になる。
【００３２】
フィン７Ａの右側の面６Ａのうちの下側（図１（Ｂ）および図２の下側）の部分に沿って流れた冷媒は、次いで、フィン７Ａの右側の面６Ａの上側部分Ａ１に沿って流れる。
図１（Ｂ）、図２および図４に示すように、フィン７Ａの右側の面６Ａの上側部分Ａ１は、上側部分Ａ１のうちの左側（図１（Ｂ）および図４の左側）の部分が、上側部分Ａ１のうちの右側（図１（Ｂ）および図４の右側）の部分よりも奥側（図２の右側、図４の上側）に位置するように、傾斜している。
そのため、フィン７Ａの右側の面６Ａの上側部分Ａ１に沿う冷媒の流れは、第１方向Ｄ１に見たときに（つまり、図１（Ｂ）中では）、第１方向Ｄ１（図２の右向き、図４の上向き）に進むに従って、フィン７Ａの中心軸線のまわりを反時計回りに旋回する流れ（図１（Ａ）中のフィン７Ａ上の矢印参照）になる。
【００３３】
フィン７Ａの右側の面６Ａの上側部分Ａ１に沿って流れた冷媒は、次いで、フィン７Ａの左側の面６Ｂ（詳細には、フィン７Ａのうちの、図２の左側から２番目の左側の面６Ｂ）に沿って流れる。
上述したように、フィン７Ａの左側の面６Ｂは、左側の面６Ｂの下側部分Ｂ１が、左側の面６Ｂのうちの上側（図１（Ｂ）および図２の上側）の部分よりも奥側（図２の右側、図４の上側）に位置するように、傾斜している。
そのため、フィン７Ａの左側の面６Ｂに沿う冷媒の流れは、第１方向Ｄ１に見たときに（つまり、図１（Ｂ）中では）、第１方向Ｄ１に進むに従って、フィン７Ａの中心軸線のまわりを反時計回りに旋回する流れになる。
【００３４】
このように、冷媒流路９内を第１方向Ｄ１（図２の右向き、図３の右向き、図４の上向き）に進み、フィン７Ａの左側の面６Ｂまたは右側の面６Ａに当たった冷媒は、第１方向Ｄ１に見たときに（つまり、図１（Ｂ）中では）、フィン７Ａの中心軸線のまわりを反時計回りに旋回しながら、第１方向Ｄ１（図２の右向き、図３の右向き、図４の上向き）に進む（流れる）。
【００３５】
図１〜図４に示す例では、例えば図１（Ｂ）中の位置Ｐ２を第１方向Ｄ１（図２の右向き、図４の上向き）に進む冷媒が、まず、フィン７Ｂの左側の面６Ａに当たる。
図１（Ｂ）、図２および図４に示すように、フィン７Ｂの左側の面６Ａは、左側の面６Ａの上側部分Ａ１が、左側の面６Ａのうちの下側（図１（Ｂ）および図２の下側）の部分よりも奥側（図２の右側、図４の上側）に位置するように、傾斜している。
そのため、フィン７Ｂの左側の面６Ａに当たった後の冷媒の流れは、第１方向Ｄ１に見たときに（つまり、図１（Ｂ）中では）、図１（Ｂ）中の位置Ｐ２から、フィン７Ｂの中心軸線のまわりを時計回りに旋回する流れ（図１（Ａ）中のフィン７Ｂ上の矢印参照）になる。
【００３６】
フィン７Ｂの左側の面６Ａに当たって流れの向きを変えた冷媒は、次いで、フィン７Ｂの左側の面６Ａの上側部分Ａ１に沿って流れる。
フィン７Ｂの左側の面６Ａの上側部分Ａ１は、上側部分Ａ１のうちの右側（図１（Ｂ）および図４の右側）の部分が、上側部分Ａ１のうちの左側（図１（Ｂ）および図４の左側）の部分よりも奥側（図２の右側、図４の上側）に位置するように、傾斜している。
そのため、フィン７Ｂの左側の面６Ａの上側部分Ａ１に沿う冷媒の流れは、第１方向Ｄ１に見たときに（つまり、図１（Ｂ）中では）、第１方向Ｄ１（図２の右向き、図４の上向き）に進むに従って、フィン７Ｂの中心軸線のまわりを時計回りに旋回する流れ（図１（Ａ）中のフィン７Ｂ上の矢印参照）になる。
【００３７】
フィン７Ｂの左側の面６Ａの上側部分Ａ１に沿って流れた冷媒は、次いで、フィン７Ｂの右側の面６Ｂに沿って流れる。
フィン７Ｂの右側の面６Ｂは、右側の面６Ｂの下側部分Ｂ１が、右側の面６Ｂのうちの上側（図１（Ｂ）および図２の上側）の部分よりも奥側（図２の右側、図４の上側）に位置するように、傾斜している。
そのため、フィン７Ｂの右側の面６Ｂに沿う冷媒の流れは、第１方向Ｄ１に見たときに（つまり、図１（Ｂ）中では）、第１方向Ｄ１（図２の右向き、図４の上向き）に進むに従って、フィン７Ｂの中心軸線のまわりを時計回りに旋回する流れ（図１（Ａ）中のフィン７Ｂ上の矢印参照）になる。
【００３８】
フィン７Ｂの右側の面６Ｂのうちの上側（図１（Ｂ）および図２の上側）の部分に沿って流れた冷媒は、次いで、フィン７Ｂの右側の面６Ｂの下側部分Ｂ１に沿って流れる。
フィン７Ｂの右側の面６Ｂの下側部分Ｂ１は、下側部分Ｂ１のうちの左側（図１（Ｂ）および図４の左側）の部分が、下側部分Ｂ１のうちの右側（図１（Ｂ）および図４の右側）の部分よりも奥側（図２の右側、図４の上側）に位置するように、傾斜している。
そのため、フィン７Ｂの右側の面６Ｂの下側部分Ｂ１に沿う冷媒の流れは、第１方向Ｄ１に見たときに（つまり、図１（Ｂ）中では）、第１方向Ｄ１（図２の右向き、図４の上向き）に進むに従って、フィン７Ｂの中心軸線のまわりを時計回りに旋回する流れ（図１（Ａ）中のフィン７Ｂ上の矢印参照）になる。
【００３９】
フィン７Ｂの右側の面６Ｂの下側部分Ｂ１に沿って流れた冷媒は、次いで、フィン７Ｂの左側の面６Ａ（詳細には、フィン７Ｂのうちの、図１（Ｂ）の手前側から２番目の左側の面６Ａ）に沿って流れる。
上述したように、フィン７Ｂの左側の面６Ａは、左側の面６Ａの上側部分Ａ１が、左側の面６Ａのうちの下側（図１（Ｂ）および図２の下側）の部分よりも奥側（図２の右側、図４の上側）に位置するように、傾斜している。
そのため、フィン７Ｂの左側の面６Ａに沿う冷媒の流れは、第１方向Ｄ１に見たときに（つまり、図１（Ｂ）中では）、第１方向Ｄ１に進むに従って、フィン７Ｂの中心軸線のまわりを時計回りに旋回する流れになる。
【００４０】
このように、冷媒流路９内を第１方向Ｄ１（図２の右向き、図４の上向き）に進み、フィン７Ｂの左側の面６Ａまたは右側の面６Ｂに当たった冷媒は、第１方向Ｄ１に見たときに（つまり、図１（Ｂ）中では）、フィン７Ｂの中心軸線のまわりを時計回りに旋回しながら、第１方向Ｄ１（図２の右向き、図４の上向き）に進む（流れる）。
詳細には、図１〜図４に示す例では、フィン７Ｂが、フィン７Ａと同一のピッチを有する。螺旋形状のフィン７Ｂの巻き方向は、螺旋形状のフィン７Ａの巻き方向とは逆向きである。
【００４１】
図１〜図４に示す例では、フィン７Ｃの形状が、フィン７Ａの形状と同一である。そのため、冷媒流路９内を第１方向Ｄ１（図２の右向き、図４の上向き）に進み、フィン７Ｃの左側の面６Ｂまたは右側の面６Ａに当たった冷媒は、第１方向Ｄ１に見たときに（つまり、図１（Ｂ）中では）、フィン７Ｃの中心軸線のまわりを反時計回りに旋回しながら、第１方向Ｄ１（図２の右向き、図４の上向き）に進む（流れる）。
フィン７Ｄの形状は、フィン７Ｂの形状と同一である。そのため、冷媒流路９内を第１方向Ｄ１（図２の右向き、図４の上向き）に進み、フィン７Ｄの左側の面６Ａまたは右側の面６Ｂに当たった冷媒は、第１方向Ｄ１に見たときに（つまり、図１（Ｂ）中では）、フィン７Ｄの中心軸線のまわりを時計回りに旋回しながら、第１方向Ｄ１（図２の右向き、図４の上向き）に進む（流れる）。
フィン７Ｅの形状は、フィン７Ａの形状と同一である。そのため、冷媒流路９内を第１方向Ｄ１（図２の右向き、図４の上向き）に進み、フィン７Ｅの左側の面６Ｂまたは右側の面６Ａに当たった冷媒は、第１方向Ｄ１に見たときに（つまり、図１（Ｂ）中では）、フィン７Ｅの中心軸線のまわりを反時計回りに旋回しながら、第１方向Ｄ１（図２の右向き、図４の上向き）に進む（流れる）。
【００４２】
図２に示す例では、フィン７Ａは、冷媒が、冷媒流路９の流れ方向に沿う第１方向Ｄ１（図２の右向き、図３の右向き、図４の上向き）に進むに従って、搭載部５の側（図２および図３（Ａ）〜図３（Ｃ）の上側）に近づくように形成された１５個の右側の面６Ａを備えている。また、フィン７Ａは、冷媒が、第１方向Ｄ１（図２の右向き、図３の右向き、図４の上向き）に進むに従って、搭載部５から離れる（つまり、図２、図３（Ｄ）および図３（Ｅ）の下側に移動する）ように形成された１５個の左側の面６Ｂを備えている。
他の例では、フィン７Ａが、１５以外の任意の複数の右側の面６Ａと左側の面６Ｂとをそれぞれ備えていてもよい。
【００４３】
図２に示す例では、フィン７Ａの１５個の右側の面６Ａと１５個の左側の面６Ｂとが、第１方向Ｄ１（図２の左右方向、図３の左右方向、図４の上下方向）に交互に配置されている。
詳細には、図２に示す例では、フィン７Ａの１番目の左側の面６Ｂ（図１（Ｂ）参照）が図２の最も左側に配置され、その右側にフィン７Ａの１番目の右側の面６Ａ（図１（Ｂ）参照）が配置され、その右側にフィン７Ａの２番目の左側の面６Ｂが配置され、その右側にフィン７Ａの２番目の右側の面６Ａが配置され、その右側にフィン７Ａの３番目の左側の面６Ｂが配置され、その右側にフィン７Ａの３番目の右側の面６Ａが配置され、その右側にフィン７Ａの４番目の左側の面６Ｂが配置され、その右側にフィン７Ａの４番目の右側の面６Ａが配置されている。
フィン７Ａの１５番目の右側の面６Ａは図２の最も右側に配置され、その左側にフィン７Ａの１５番目の左側の面６Ｂが配置され、その左側にフィン７Ａの１４番目の右側の面６Ａが配置され、その左側にフィン７Ａの１４番目の左側の面６Ｂが配置され、その左側にフィン７Ａの１３番目の右側の面６Ａが配置され、その左側にフィン７Ａの１３番目の左側の面６Ｂが配置され、その左側にフィン７Ａの１２番目の右側の面６Ａが配置され、その左側にフィン７Ａの１２番目の左側の面６Ｂが配置されている。
そのため、フィン７Ａは、右側の面６Ａによって搭載部５の側（図２および図３の上側）に近づく冷媒の流れを形成すると共に、左側の面６Ｂによって搭載部５から離れる（つまり、図２および図３の下側に移動する）冷媒の流れを形成することができる。
【００４４】
図１〜図４に示す例では、フィン７Ｂは、冷媒が、第１方向Ｄ１（図２の右向き、図４の上向き）に進むに従って、搭載部５の側（図１（Ｂ）および図２の上側）に近づくように形成された１５個の左側の面６Ａを備えている。また、フィン７Ｂは、冷媒が、第１方向Ｄ１（図２の右向き、図４の上向き）に進むに従って、搭載部５から離れる（つまり、図１（Ｂ）および図２の下側に移動する）ように形成された１５個の右側の面６Ｂを備えている。
そのため、フィン７Ｂは、左側の面６Ａによって搭載部５の側（図１（Ｂ）および図２の上側）に近づく冷媒の流れを形成すると共に、右側の面６Ｂによって搭載部５から離れる（つまり、図１（Ｂ）および図２の下側に移動する）冷媒の流れを形成することができる。
【００４５】
図１〜図４に示す例では、フィン７Ｃは、冷媒が、第１方向Ｄ１（図２の右向き、図４の上向き）に進むに従って、搭載部５の側（図１（Ｂ）および図２の上側）に近づくように形成された１５個の右側の面６Ａを備えている。また、フィン７Ｃは、冷媒が、第１方向Ｄ１（図２の右向き、図４の上向き）に進むに従って、搭載部５から離れる（つまり、図１（Ｂ）および図２の下側に移動する）ように形成された１５個の左側の面６Ｂを備えている。
そのため、フィン７Ｃは、右側の面６Ａによって搭載部５の側（図１（Ｂ）および図２の上側）に近づく冷媒の流れを形成すると共に、左側の面６Ｂによって搭載部５から離れる（つまり、図１（Ｂ）および図２の下側に移動する）冷媒の流れを形成することができる。
【００４６】
図１〜図４に示す例では、フィン７Ｄは、冷媒が、第１方向Ｄ１（図２の右向き、図４の上向き）に進むに従って、搭載部５の側（図１（Ｂ）および図２の上側）に近づくように形成された１５個の左側の面６Ａを備えている。また、フィン７Ｄは、冷媒が、第１方向Ｄ１（図２の右向き、図４の上向き）に進むに従って、搭載部５から離れる（つまり、図１（Ｂ）および図２の下側に移動する）ように形成された１５個の右側の面６Ｂを備えている。
そのため、フィン７Ｄは、左側の面６Ａによって搭載部５の側（図１（Ｂ）および図２の上側）に近づく冷媒の流れを形成すると共に、右側の面６Ｂによって搭載部５から離れる（つまり、図１（Ｂ）および図２の下側に移動する）冷媒の流れを形成することができる。
【００４７】
図１〜図４に示す例では、フィン７Ｅは、冷媒が、第１方向Ｄ１（図２の右向き、図４の上向き）に進むに従って、搭載部５の側（図１（Ｂ）および図２の上側）に近づくように形成された１５個の右側の面６Ａを備えている。また、フィン７Ｅは、冷媒が、第１方向Ｄ１（図２の右向き、図４の上向き）に進むに従って、搭載部５から離れる（つまり、図１（Ｂ）および図２の下側に移動する）ように形成された１５個の左側の面６Ｂを備えている。
そのため、フィン７Ｅは、右側の面６Ａによって搭載部５の側（図１（Ｂ）および図２の上側）に近づく冷媒の流れを形成すると共に、左側の面６Ｂによって搭載部５から離れる（つまり、図１（Ｂ）および図２の下側に移動する）冷媒の流れを形成することができる。
その結果、図１〜図４に示す例では、被冷却体３の側（図１（Ａ）、図１（Ｂ）および図２の上側）に近づく冷媒の流れおよび被冷却体３から離れる（つまり、図１（Ａ）、図１（Ｂ）および図２の下側に移動する）冷媒の流れが形成されない場合よりも、被冷却体３を冷却することなく冷媒流路９を通過してしまう冷媒の流れを低減し、被冷却体３の冷却効率を向上させることができる。
【００４８】
上述したように、フィン７Ａの右側の面６Ａは、冷媒が、第１方向Ｄ１（図２の右向き、図４の上向き）に進むに従って、第２方向Ｄ２の一方側（図１（Ｂ）および図４の左側）に近づくように形成された上側部分Ａ１を有する。そのため、フィン７Ａは、上側部分Ａ１によって、第２方向Ｄ２の一方側（図１（Ｂ）および図４の左側）に近づく冷媒の流れを形成することができる。
また、フィン７Ａの左側の面６Ｂは、冷媒が、第１方向Ｄ１（図２の右向き、図４の上向き）に進むに従って、第２方向Ｄ２の他方側（図１（Ｂ）および図４の右側）に近づくように形成された下側部分Ｂ１を有する。そのため、フィン７Ａは、下側部分Ｂ１によって、第２方向Ｄ２の他方側（図１（Ｂ）および図４の右側）に近づく冷媒の流れを形成することができる。
その結果、フィン７Ａによって第２方向Ｄ２の一方側（図１（Ｂ）および図４の左側）に近づく冷媒の流れおよび第２方向Ｄ２の他方側（図１（Ｂ）および図４の右側）に近づく冷媒の流れが形成されない場合よりも、被冷却体３を冷却することなく冷媒流路９を通過してしまう冷媒の流れを低減し、被冷却体３の冷却効率を向上させることができる。
【００４９】
上述したように、フィン７Ｂの左側の面６Ａは、冷媒が、第１方向Ｄ１（図２の右向き、図４の上向き）に進むに従って、第２方向Ｄ２の他方側（図１（Ｂ）および図４の右側）に近づくように形成された上側部分Ａ１を有する。そのため、フィン７Ｂは、上側部分Ａ１によって、第２方向Ｄ２の他方側（図１（Ｂ）および図４の右側）に近づく冷媒の流れを形成することができる。
また、フィン７Ｂの右側の面６Ｂは、冷媒が、第１方向Ｄ１（図２の右向き、図４の上向き）に進むに従って、第２方向Ｄ２の一方側（図１（Ｂ）および図４の左側）に近づくように形成された下側部分Ｂ１を有する。そのため、フィン７Ｂは、下側部分Ｂ１によって、第２方向Ｄ２の一方側（図１（Ｂ）および図４の左側）に近づく冷媒の流れを形成することができる。
その結果、フィン７Ｂによって第２方向Ｄ２の他方側（図１（Ｂ）および図４の右側）に近づく冷媒の流れおよび第２方向Ｄ２の一方側（図１（Ｂ）および図４の左側）に近づく冷媒の流れが形成されない場合よりも、被冷却体３を冷却することなく冷媒流路９を通過してしまう冷媒の流れを低減し、被冷却体３の冷却効率を向上させることができる。
【００５０】
図１（Ｂ）に示すように、フィン７Ｃの右側の面６Ａは、冷媒が、第１方向Ｄ１（図２の右向き、図４の上向き）に進むに従って、第２方向Ｄ２の一方側（図１（Ｂ）および図４の左側）に近づくように形成された上側部分Ａ１を有する。そのため、フィン７Ｃは、上側部分Ａ１によって、第２方向Ｄ２の一方側（図１（Ｂ）および図４の左側）に近づく冷媒の流れを形成することができる。
また、フィン７Ｃの左側の面６Ｂは、冷媒が、第１方向Ｄ１（図２の右向き、図４の上向き）に進むに従って、第２方向Ｄ２の他方側（図１（Ｂ）および図４の右側）に近づくように形成された下側部分Ｂ１を有する。そのため、フィン７Ｃは、下側部分Ｂ１によって、第２方向Ｄ２の他方側（図１（Ｂ）および図４の右側）に近づく冷媒の流れを形成することができる。
その結果、フィン７Ｃによって第２方向Ｄ２の一方側（図１（Ｂ）および図４の左側）に近づく冷媒の流れおよび第２方向Ｄ２の他方側（図１（Ｂ）および図４の右側）に近づく冷媒の流れが形成されない場合よりも、被冷却体３を冷却することなく冷媒流路９を通過してしまう冷媒の流れを低減し、被冷却体３の冷却効率を向上させることができる。
【００５１】
図１（Ｂ）に示すように、フィン７Ｄの左側の面６Ａは、冷媒が、第１方向Ｄ１（図２の右向き）に進むに従って、第２方向Ｄ２の他方側（図１（Ｂ）の右側）に近づくように形成された上側部分Ａ１を有する。そのため、フィン７Ｄは、上側部分Ａ１によって、第２方向Ｄ２の他方側（図１（Ｂ）の右側）に近づく冷媒の流れを形成することができる。
また、フィン７Ｄの右側の面６Ｂは、冷媒が、第１方向Ｄ１（図２の右向き）に進むに従って、第２方向Ｄ２の一方側（図１（Ｂ）の左側）に近づくように形成された下側部分Ｂ１を有する。そのため、フィン７Ｄは、下側部分Ｂ１によって、第２方向Ｄ２の一方側（図１（Ｂ）の左側）に近づく冷媒の流れを形成することができる。
その結果、フィン７Ｄによって第２方向Ｄ２の他方側（図１（Ｂ）の右側）に近づく冷媒の流れおよび第２方向Ｄ２の一方側（図１（Ｂ）の左側）に近づく冷媒の流れが形成されない場合よりも、被冷却体３を冷却することなく冷媒流路９を通過してしまう冷媒の流れを低減し、被冷却体３の冷却効率を向上させることができる。
【００５２】
図１（Ｂ）に示すように、フィン７Ｅの右側の面６Ａは、冷媒が、第１方向Ｄ１（図２の右向き）に進むに従って、第２方向Ｄ２の一方側（図１（Ｂ）の左側）に近づくように形成された上側部分Ａ１を有する。そのため、フィン７Ｅは、上側部分Ａ１によって、第２方向Ｄ２の一方側（図１（Ｂ）の左側）に近づく冷媒の流れを形成することができる。
また、フィン７Ｅの左側の面６Ｂは、冷媒が、第１方向Ｄ１（図２の右向き）に進むに従って、第２方向Ｄ２の他方側（図１（Ｂ）の右側）に近づくように形成された下側部分Ｂ１を有する。そのため、フィン７Ｅは、下側部分Ｂ１によって、第２方向Ｄ２の他方側（図１（Ｂ）の右側）に近づく冷媒の流れを形成することができる。
その結果、フィン７Ｅによって第２方向Ｄ２の一方側（図１（Ｂ）の左側）に近づく冷媒の流れおよび第２方向Ｄ２の他方側（図１（Ｂ）の右側）に近づく冷媒の流れが形成されない場合よりも、被冷却体３を冷却することなく冷媒流路９を通過してしまう冷媒の流れを低減し、被冷却体３の冷却効率を向上させることができる。
【００５３】
図１（Ｂ）に示すように、第１方向Ｄ１に見たときに（つまり、図１（Ｂ）中では）、フィン７Ａの右側の面６Ａと左側の面６Ｂとは、第２方向Ｄ２（図１（Ｂ）および図４の左右方向）に互いにずれた位置に形成されている。詳細には、フィン７Ａの右側の面６Ａは、フィン７Ａの中心軸線よりも右側（図１（Ｂ）および図４の右側）に配置され、フィン７Ａの左側の面６Ｂは、フィン７Ａの中心軸線よりも左側（図１（Ｂ）および図４の左側）に配置されている。
そのため、フィン７Ａの右側の面６Ａによって形成された被冷却体３の側（図１（Ｂ）の上側）に近づく冷媒の流れと、フィン７Ａの左側の面６Ｂによって形成された被冷却体３から離れる（図１（Ｂ）の下向きの）冷媒の流れとが衝突するおそれを抑制することができる。
図１（Ｂ）に示すように、第１方向Ｄ１に見たときに（つまり、図１（Ｂ）中では）、フィン７Ｂの左側の面６Ａと右側の面６Ｂとは、第２方向Ｄ２（図１（Ｂ）および図４の左右方向）に互いにずれた位置に形成されている。詳細には、フィン７Ｂの左側の面６Ａは、フィン７Ｂの中心軸線よりも左側（図１（Ｂ）および図４の左側）に配置され、フィン７Ｂの右側の面６Ｂは、フィン７Ｂの中心軸線よりも右側（図１（Ｂ）および図４の右側）に配置されている。
そのため、フィン７Ｂの左側の面６Ａによって形成された被冷却体３の側（図１（Ｂ）の上側）に近づく冷媒の流れと、フィン７Ｂの右側の面６Ｂによって形成された被冷却体３から離れる（図１（Ｂ）の下向きの）冷媒の流れとが衝突するおそれを抑制することができる。
【００５４】
図１（Ｂ）に示すように、第１方向Ｄ１に見たときに（つまり、図１（Ｂ）中では）、フィン７Ｃの右側の面６Ａと左側の面６Ｂとは、第２方向Ｄ２（図１（Ｂ）の左右方向）に互いにずれた位置に形成されている。詳細には、フィン７Ｃの右側の面６Ａは、フィン７Ｃの中心軸線よりも右側（図１（Ｂ）の右側）に配置され、フィン７Ｃの左側の面６Ｂは、フィン７Ｃの中心軸線よりも左側（図１（Ｂ）の左側）に配置されている。
そのため、フィン７Ｃの右側の面６Ａによって形成された被冷却体３の側（図１（Ｂ）の上側）に近づく冷媒の流れと、フィン７Ｃの左側の面６Ｂによって形成された被冷却体３から離れる（図１（Ｂ）の下向きの）冷媒の流れとが衝突するおそれを抑制することができる。
図１（Ｂ）に示すように、第１方向Ｄ１に見たときに（つまり、図１（Ｂ）中では）、フィン７Ｄの左側の面６Ａと右側の面６Ｂとは、第２方向Ｄ２（図１（Ｂ）の左右方向）に互いにずれた位置に形成されている。詳細には、フィン７Ｄの左側の面６Ａは、フィン７Ｄの中心軸線よりも左側（図１（Ｂ）の左側）に配置され、フィン７Ｄの右側の面６Ｂは、フィン７Ｄの中心軸線よりも右側（図１（Ｂ）の右側）に配置されている。
そのため、フィン７Ｄの左側の面６Ａによって形成された被冷却体３の側（図１（Ｂ）の上側）に近づく冷媒の流れと、フィン７Ｄの右側の面６Ｂによって形成された被冷却体３から離れる（図１（Ｂ）の下向きの）冷媒の流れとが衝突するおそれを抑制することができる。
図１（Ｂ）に示すように、第１方向Ｄ１に見たときに（つまり、図１（Ｂ）中では）、フィン７Ｅの右側の面６Ａと左側の面６Ｂとは、第２方向Ｄ２（図１（Ｂ）の左右方向）に互いにずれた位置に形成されている。詳細には、フィン７Ｅの右側の面６Ａは、フィン７Ｅの中心軸線よりも右側（図１（Ｂ）の右側）に配置され、フィン７Ｅの左側の面６Ｂは、フィン７Ｅの中心軸線よりも左側（図１（Ｂ）の左側）に配置されている。
そのため、フィン７Ｅの右側の面６Ａによって形成された被冷却体３の側（図１（Ｂ）の上側）に近づく冷媒の流れと、フィン７Ｅの左側の面６Ｂによって形成された被冷却体３から離れる（図１（Ｂ）の下向きの）冷媒の流れとが衝突するおそれを抑制することができる。
【００５５】
図１（Ｂ）および図２に示すように、フィン７Ａの１５個の右側の面６Ａのそれぞれは、第１方向Ｄ１に見たときに（つまり、図１（Ｂ）中では）、互いに重なる位置に形成されている。すなわち、図１（Ｂ）には、図２の最も左側に配置された１番目の右側の面６Ａのみが図１（Ｂ）に示され、２番目から１５番目の右側の面６Ａは図１（Ｂ）に示されない。
そのため、複数の右側の面６Ａのそれぞれが第１方向Ｄ１に見たときに互いに重なる位置に形成されない場合よりも、フィン７Ａは、被冷却体３の側（図１（Ｂ）の上側）に近づく冷媒の流れをまとめて強くすることができる。その結果、被冷却体３を冷却することなく冷媒流路９を通過してしまう冷媒の流れを低減し、被冷却体３の冷却効率を向上させることができる。
図１（Ｂ）および図２に示すように、フィン７Ａの１５個の左側の面６Ｂのそれぞれは、第１方向Ｄ１に見たときに（つまり、図１（Ｂ）中では）、互いに重なる位置に形成されている。すなわち、図１（Ｂ）には、図２の最も左側に配置された１番目の左側の面６Ｂのみが図１（Ｂ）に示され、２番目から１５番目の左側の面６Ｂは図１（Ｂ）に示されない。
そのため、複数の左側の面６Ｂのそれぞれが第１方向Ｄ１に見たときに互いに重なる位置に形成されない場合よりも、フィン７Ａは、被冷却体３から離れる（図１（Ｂ）の下向きの）冷媒の流れをまとめて強くすることができる。その結果、被冷却体３を冷却することなく冷媒流路９を通過してしまう冷媒の流れを低減し、被冷却体３の冷却効率を向上させることができる。
【００５６】
図１（Ｂ）に示すように、フィン７Ｂの１５個の左側の面６Ａのそれぞれは、第１方向Ｄ１に見たときに（つまり、図１（Ｂ）中では）、互いに重なる位置に形成されている。すなわち、図１（Ｂ）には、最も手前側に配置された１番目の左側の面６Ａのみが図１（Ｂ）に示され、２番目から１５番目の左側の面６Ａは図１（Ｂ）に示されない。そのため、複数の左側の面６Ａのそれぞれが第１方向Ｄ１に見たときに互いに重なる位置に形成されない場合よりも、フィン７Ｂは、被冷却体３の側（図１（Ｂ）の上側）に近づく冷媒の流れをまとめて強くすることができる。
図１（Ｂ）に示すように、フィン７Ｂの１５個の右側の面６Ｂのそれぞれは、第１方向Ｄ１に見たときに（つまり、図１（Ｂ）中では）、互いに重なる位置に形成されている。すなわち、図１（Ｂ）には、最も手前側に配置された１番目の右側の面６Ｂのみが図１（Ｂ）に示され、２番目から１５番目の右側の面６Ｂは図１（Ｂ）に示されない。そのため、複数の右側の面６Ｂのそれぞれが第１方向Ｄ１に見たときに互いに重なる位置に形成されない場合よりも、フィン７Ｂは、被冷却体３から離れる（図１（Ｂ）の下向きの）冷媒の流れをまとめて強くすることができる。
その結果、被冷却体３を冷却することなく冷媒流路９を通過してしまう冷媒の流れを低減し、被冷却体３の冷却効率を向上させることができる。
【００５７】
同様の目的を達成するために、図１（Ｂ）に示すように、フィン７Ｃの１５個の右側の面６Ａのそれぞれは、第１方向Ｄ１に見たときに（つまり、図１（Ｂ）中では）、互いに重なる位置に形成されている。フィン７Ｃの１５個の左側の面６Ｂのそれぞれは、第１方向Ｄ１に見たときに（つまり、図１（Ｂ）中では）、互いに重なる位置に形成されている。
また、図１（Ｂ）に示すように、フィン７Ｄの１５個の左側の面６Ａのそれぞれは、第１方向Ｄ１に見たときに（つまり、図１（Ｂ）中では）、互いに重なる位置に形成されている。フィン７Ｄの１５個の右側の面６Ｂのそれぞれは、第１方向Ｄ１に見たときに（つまり、図１（Ｂ）中では）、互いに重なる位置に形成されている。
また、図１（Ｂ）に示すように、フィン７Ｅの１５個の右側の面６Ａのそれぞれは、第１方向Ｄ１に見たときに（つまり、図１（Ｂ）中では）、互いに重なる位置に形成されている。フィン７Ｅの１５個の左側の面６Ｂのそれぞれは、第１方向Ｄ１に見たときに（つまり、図１（Ｂ）中では）、互いに重なる位置に形成されている。
【００５８】
図１（Ｂ）に示すように、第１方向Ｄ１に見たときに（つまり、図１（Ｂ）中では）、フィン７Ａの右側の面６Ａとフィン７Ｂの左側の面６Ａとがオーバーラップし、フィン７Ｃの右側の面６Ａとフィン７Ｄの左側の面６Ａとがオーバーラップしている。
そのため、第１方向Ｄ１に見たときに、フィン７Ａの右側の面６Ａとフィン７Ｂの左側の面６Ａとがオーバーラップしておらず、フィン７Ｃの右側の面６Ａとフィン７Ｄの左側の面６Ａとがオーバーラップしていない場合よりも、被冷却体３の側（図１（Ｂ）の上側）に近づく冷媒の流れを強くすることができ、被冷却体３の冷却効率を向上させることができる。
【００５９】
図１（Ｂ）に示すように、第１方向Ｄ１に見たときに（つまり、図１（Ｂ）中では）、フィン７Ｂの右側の面６Ｂとフィン７Ｃの左側の面６Ｂとがオーバーラップし、フィン７Ｄの右側の面６Ｂとフィン７Ｅの左側の面６Ｂとがオーバーラップしている。
そのため、第１方向Ｄ１に見たときに、フィン７Ｂの右側の面６Ｂとフィン７Ｃの左側の面６Ｂとがオーバーラップしておらず、フィン７Ｄの右側の面６Ｂとフィン７Ｅの左側の面６Ｂとがオーバーラップしていない場合よりも、被冷却体３から離れる（つまり、図１（Ｂ）の下側に移動する）冷媒の流れを強くすることによって、冷媒流路９内の上下方向（図１（Ｂ）の上下方向）の冷媒の移動を促進し、被冷却体３の冷却効率を向上させることができる。
【００６０】
上述したように、図１〜図４に示す例では、放熱部６が、フィン７Ａ、７Ｂ、７Ｃ、７Ｄ、７Ｅを含む。そのため、放熱部６がフィン７Ａのみを含む場合よりも、第１方向Ｄ１に交差する冷媒の流れを強くすることができ、被冷却体３の冷却効率を向上させることができる。
また、図１〜図４に示す例では、図３に示す各断面内におけるフィン７Ａの高さ方向中心側部分の傾きθ１と高さ方向外側部分の傾きθ２とが、断面の位置に応じて連続的に変化する。
詳細には、図３（Ｂ）のＢ−Ｂ断面内におけるフィン７Ａの高さ方向中心側部分の傾きθ１（直線Ｌ１のなす角度θ１）は、図３（Ａ）のＡ−Ａ断面内におけるフィン７Ａの高さ方向中心側部分の傾きθ１（直線Ｌ１のなす角度θ１）よりも僅かに小さい。
図３（Ｃ）のＣ−Ｃ断面内におけるフィン７Ａの高さ方向中心側部分の傾きθ１（直線Ｌ１のなす角度θ１）は、図３（Ｂ）のＢ−Ｂ断面内におけるフィン７Ａの高さ方向中心側部分の傾きθ１（直線Ｌ１のなす角度θ１）よりも小さい。また、図３（Ｃ）のＣ−Ｃ断面内におけるフィン７Ａの高さ方向外側部分の傾きθ２（直線Ｌ２のなす角度θ２）は、図３（Ｃ）のＣ−Ｃ断面内におけるフィン７Ａの高さ方向中心側部分の傾きθ１（直線Ｌ１のなす角度θ１）よりも大きい。
図３（Ｄ）のＤ−Ｄ断面（フィン７Ａの中心軸線（直線Ｌ１）を含む断面）内では、フィン７Ａが図３（Ｄ）の上下方向に延びており（直線Ｌ２）、フィン７Ａの中心軸線（直線Ｌ１）に直交している。図３（Ｄ）のＤ−Ｄ断面内におけるフィン７Ａの高さ方向中心側部分の傾きθ１（直線Ｌ１のなす角度θ１（０°））は、図３（Ｃ）のＣ−Ｃ断面内におけるフィン７Ａの高さ方向中心側部分の傾きθ１（直線Ｌ１のなす角度θ１）よりも小さい。また、図３（Ｄ）のＤ−Ｄ断面内におけるフィン７Ａの高さ方向外側部分の傾きθ２（直線Ｌ２のなす角度θ２（９０°））は、図３（Ｃ）のＣ−Ｃ断面内におけるフィン７Ａの高さ方向外側部分の傾きθ２（直線Ｌ２のなす角度θ２）よりも小さい。
図３（Ｅ）のＥ−Ｅ断面内におけるフィン７Ａの高さ方向中心側部分の傾きθ１（直線Ｌ１のなす角度θ１（鈍角））は、図３（Ｆ）のＦ−Ｆ断面内におけるフィン７Ａの高さ方向中心側部分の傾きθ１（直線Ｌ１のなす角度θ１（鈍角））よりも大きい。また、図３（Ｅ）のＥ−Ｅ断面内におけるフィン７Ａの高さ方向外側部分の傾きθ２（直線Ｌ２のなす角度θ２（鈍角））は、図３（Ｅ）のＥ−Ｅ断面内におけるフィン７Ａの高さ方向中心側部分の傾きθ１（直線Ｌ１のなす角度θ１（鈍角））よりも小さい。
図３（Ｆ）のＦ−Ｆ断面内におけるフィン７Ａの高さ方向中心側部分の傾きθ１（直線Ｌ１のなす角度θ１（鈍角））は、図３（Ｅ）のＥ−Ｅ断面内におけるフィン７Ａの高さ方向中心側部分の傾きθ１（直線Ｌ１のなす角度θ１（鈍角））よりも小さい。
以上のように、Ａ−Ａ断面→Ｂ−Ｂ断面→Ｃ−Ｃ断面→Ｄ−Ｄ断面と進むにつれて、フィン７Ａの高さ方向中心側部分の傾きθ１（直線Ｌ１のなす角度θ１）は徐々に小さくなり、Ｄ−Ｄ断面において、傾きが０（θ１＝０°）となる。その後、Ｄ−Ｄ断面→Ｅ−Ｅ断面→Ｆ−Ｆ断面と進むにつれて、フィン７Ａの高さ方向中心側部分の傾き（直線Ｌ１のなす角度θ１（鈍角））は１８０°側から徐々に小さくなる。つまり、図３（Ｅ）および図３（Ｆ）中の角度（１８０°−θ１）は、Ｅ−Ｅ断面→Ｆ−Ｆ断面と進むにつれて徐々に大きくなる。
また、Ｃ−Ｃ断面→Ｄ−Ｄ断面と進むにつれて、フィン７Ａの高さ方向外側部分の傾き（直線Ｌ２のなす角度θ２）は徐々に大きくなり、Ｄ−Ｄ断面において、フィン７Ａの中心軸線に直交する（θ２＝９０°となる）。その後、Ｄ−Ｄ断面→Ｅ−Ｅ断面と進むにつれて、フィン７Ａの高さ方向外側部分の傾き（直線Ｌ２のなす角度θ２）は９０°を超えて徐々に大きくなる。
図１〜図４に示す例では、図３（Ｄ）に示すフィン７Ａの断面形状を、フィン７Ａの中心軸線を中心に回転させ、かつ、図３（Ｄ）の右向きにスイープさせることによって得られるその断面形状の軌跡が、図１〜図４に示すフィン７Ａの外形形状に相当する。
【００６１】
＜第２実施形態＞
以下、本発明の冷却器２の第２実施形態について説明する。
第２実施形態の冷却器２は、後述する点を除き、上述した第１実施形態の冷却器２と同様に構成されている。従って、第２実施形態の冷却器２によれば、後述する点を除き、上述した第１実施形態の冷却器２と同様の効果を奏することができる。
【００６２】
図５は第２実施形態の冷却器２の一例を示す図である。詳細には、図５（Ａ）は第２実施形態の冷却器２の被冷却体３と冷却部４の内部構造との関係などを示す図である。図５（Ｂ）は図５（Ａ）中の冷却部４のみを抽出して示した図である。図６は図５（Ｂ）中のＱ−Ｑ線に沿った冷却部４の断面図である。
【００６３】
図１および図２に示す例では、第１方向Ｄ１に見たときに（つまり、図１（Ｂ）中に）、フィン７Ａ、７Ｂ、７Ｃ、７Ｄ、７Ｅが存在しない箇所が冷媒流路９内に存在する。そのため、図１および図２に示す例では、フィン７Ａ、７Ｂ、７Ｃ、７Ｄ、７Ｅに当たることなく冷媒流路９内を素通りしてしまう冷媒が存在する。
一方、図５および図６に示す例では、第１方向Ｄ１に見たときに（つまり、図５（Ｂ）中に）、フィン７Ａ、７Ｂ、７Ｃ、７Ｄ、７Ｅが存在しない箇所に、リブ８Ａが配置されている。図６に示すように、第１方向Ｄ１（図６の左右方向）にリブ８Ａは、フィン７Ａ、７Ｂ、７Ｃ、７Ｄ、７Ｅが存在する範囲にわたって延びている。
そのため、図５および図６に示す例では、フィン７Ａ、７Ｂ、７Ｃ、７Ｄ、７Ｅを冷却することなく冷媒流路９内を通過してしまう冷媒の流れを低減することができ、被冷却体３の冷却効率を向上させることができる。
【００６４】
＜第３実施形態＞
以下、本発明の冷却器２の第３実施形態について説明する。
第３実施形態の冷却器２は、後述する点を除き、上述した第１実施形態の冷却器２と同様に構成されている。従って、第３実施形態の冷却器２によれば、後述する点を除き、上述した第１実施形態の冷却器２と同様の効果を奏することができる。
【００６５】
図７は第３実施形態の冷却器２の一例を示す図である。詳細には、図７（Ａ）は第３実施形態の冷却器２の被冷却体３と冷却部４の内部構造との関係などを示す図である。図７（Ｂ）は図７（Ａ）中の冷却部４のみを抽出して示した図である。図８は図７（Ｂ）中のＲ−Ｒ線に沿った冷却部４の部分断面図である。図９は第３実施形態の冷却器２のフィン７Ａ、７Ｂ、７Ｃ、７Ｄ、７Ｅの斜視図である。
【００６６】
図１および図２に示す例では、第１方向Ｄ１に見たときに（つまり、図１（Ｂ）中における）、フィン７Ａ、７Ｂ、７Ｃ、７Ｄ、７Ｅのそれぞれの外形形状（輪郭）が円形である。そのため、図１および図２に示す例では、フィン７Ａ、７Ｂ、７Ｃ、７Ｄ、７Ｅのそれぞれの輪郭と、搭載部５の下面またはケース部８の内側表面との間に隙間（フィン７Ａ、７Ｂ、７Ｃ、７Ｄ、７Ｅが存在しない箇所）が存在し、フィン７Ａ、７Ｂ、７Ｃ、７Ｄ、７Ｅに当たることなく冷媒流路９内を素通りしてしまう冷媒が存在する。
一方、図７〜図９に示す例では、第１方向Ｄ１に見たときに（つまり、図７（Ｂ）中における）、フィン７Ａ、７Ｂ、７Ｃ、７Ｄ、７Ｅの外形形状（輪郭）が、冷媒流路９の断面形状と一致させられている。
【００６７】
図７〜図９に示す例では、図７（Ｂ）中におけるフィン７Ａ、７Ｂ、７Ｃ、７Ｄ、７Ｅの円形部分の直径が、冷媒流路９の上下方向（図７（Ｂ）の上下方向）寸法よりも大きくされている。
一方、フィン７Ａ、７Ｂ、７Ｃ、７Ｄ、７Ｅの円形部分の直径が、冷媒流路９の上下方向（図７（Ｂ）の上下方向）寸法よりも大きい場合には、フィン７Ａ、７Ｂ、７Ｃ、７Ｄ、７Ｅの一部が冷媒流路９からはみ出してしまう。
そこで、図７〜図９に示す例では、フィン７Ａ、７Ｂ、７Ｃ、７Ｄ、７Ｅのうちの冷媒流路９からはみ出す部分が、カットされている。
その結果、図７〜図９に示す例では、上述したように、第１方向Ｄ１に見たときに（つまり、図７（Ｂ）中における）、フィン７Ａ、７Ｂ、７Ｃ、７Ｄ、７Ｅの外形形状（輪郭）が、冷媒流路９の断面形状と一致させられている。
そのため、図７〜図９に示す例では、フィン７Ａ、７Ｂ、７Ｃ、７Ｄ、７Ｅに当たることなく冷媒流路９内を素通りしてしまう冷媒を低減することができる。
【００６８】
図８に示すように、第３実施形態の冷却器２においても、第１実施形態の冷却器２と同様に、フィン７Ａの右側の面６Ａとフィン７Ｂの左側の面６Ａとがオーバーラップしている。
【００６９】
＜第４実施形態＞
以下、本発明の冷却器２の第４実施形態について説明する。
第４実施形態の冷却器２は、後述する点を除き、上述した第４実施形態の冷却器２と同様に構成されている。従って、第４実施形態の冷却器２によれば、後述する点を除き、上述した第３実施形態の冷却器２と同様の効果を奏することができる。
【００７０】
図１０は第４実施形態の冷却器２の一例を示す図である。詳細には、図１０（Ａ）は第４実施形態の冷却器２の被冷却体３と冷却部４の内部構造との関係などを示す図である。図１０（Ｂ）は図１０（Ａ）中の冷却部４のみを抽出して示した図である。
【００７１】
図７（Ａ）に示す例では、冷却器２が、１つの被冷却体３を備えている。冷却部４は、１つの搭載部５を備えている。搭載部５の一方（図７（Ａ）の上側）の面に、上述した１つの被冷却体３が搭載されている。
一方、図１０（Ａ）に示す例では、冷却器２が、複数（例えば４つ）の被冷却体３を備えている。冷却部４は、２つの搭載部５を備えている。上側（図１０（Ａ）の上側）の搭載部５の一方（図１０（Ａ）の上側）の面に、上述した４つのうちの２つの被冷却体３が搭載されている。下側（図１０（Ａ）の下側）の搭載部５の一方（図１０（Ａ）の下側）の面に、上述した４つのうちの残りの２つの被冷却体３が搭載されている。
【００７２】
図１０（Ａ）および図１０（Ｂ）に示す例では、左上（図１０（Ａ）の左上）の被冷却体３は、第２方向Ｄ２（図１０（Ａ）および図１０（Ｂ）の左右方向）において、フィン７Ａの右側の面６Ａとフィン７Ｂの左側の面６Ａとが配置されている箇所に配置されている。
そのため、フィン７Ａの右側の面６Ａとフィン７Ｂの左側の面６Ａとによって形成される上向き（図１０（Ａ）および図１０（Ｂ）の上向き）の冷媒の流れが、上側（図１０（Ａ）および図１０（Ｂ）の上側）の搭載部５のうちの、左上の被冷却体３が搭載されている箇所に当たる。
その結果、左上の被冷却体３が搭載されている箇所に当たる冷媒の流れによって、左上の被冷却体３の冷却効率を向上させることができる。
【００７３】
図１０（Ａ）および図１０（Ｂ）に示す例では、右上（図１０（Ａ）の右上）の被冷却体３は、第２方向Ｄ２（図１０（Ａ）および図１０（Ｂ）の左右方向）において、フィン７Ｃの右側の面６Ａとフィン７Ｄの左側の面６Ａとが配置されている箇所に配置されている。
そのため、フィン７Ｃの右側の面６Ａとフィン７Ｄの左側の面６Ａとによって形成される上向き（図１０（Ａ）および図１０（Ｂ）の上向き）の冷媒の流れが、上側（図１０（Ａ）および図１０（Ｂ）の上側）の搭載部５のうちの、右上の被冷却体３が搭載されている箇所に当たる。
その結果、右上の被冷却体３が搭載されている箇所に当たる冷媒の流れによって、右上の被冷却体３の冷却効率を向上させることができる。
【００７４】
図１０（Ａ）および図１０（Ｂ）に示す例では、左下（図１０（Ａ）の左下）の被冷却体３は、第２方向Ｄ２（図１０（Ａ）および図１０（Ｂ）の左右方向）において、フィン７Ｂの右側の面６Ｂとフィン７Ｃの左側の面６Ｂとが配置されている箇所に配置されている。
そのため、フィン７Ｂの右側の面６Ｂとフィン７Ｃの左側の面６Ｂとによって形成される下向き（図１０（Ａ）および図１０（Ｂ）の下向き）の冷媒の流れが、下側（図１０（Ａ）および図１０（Ｂ）の下側）の搭載部５のうちの、左下の被冷却体３が搭載されている箇所に当たる。
その結果、左下の被冷却体３が搭載されている箇所に当たる冷媒の流れによって、左下の被冷却体３の冷却効率を向上させることができる。
【００７５】
図１０（Ａ）および図１０（Ｂ）に示す例では、右下（図１０（Ａ）の右下）の被冷却体３は、第２方向Ｄ２（図１０（Ａ）および図１０（Ｂ）の左右方向）において、フィン７Ｄの右側の面６Ｂとフィン７Ｅの左側の面６Ｂとが配置されている箇所に配置されている。
そのため、フィン７Ｄの右側の面６Ｂとフィン７Ｅの左側の面６Ｂとによって形成される下向き（図１０（Ａ）および図１０（Ｂ）の下向き）の冷媒の流れが、下側（図１０（Ａ）および図１０（Ｂ）の下側）の搭載部５のうちの、右下の被冷却体３が搭載されている箇所に当たる。
その結果、右下の被冷却体３が搭載されている箇所に当たる冷媒の流れによって、右下の被冷却体３の冷却効率を向上させることができる。
【００７６】
＜第５実施形態＞
第５実施形態の冷却器２は、上述した第１から第４実施形態の冷却器２を適宜組み合わせることによって構成されている。
【００７７】
＜適用例＞
以下、本発明の冷却器２の適用例について添付図面を参照しながら説明する。
図１１は第１から第５実施形態の冷却器２を適用可能な車両１０の一部の一例を示す図である。
【００７８】
図１１に示す例では、第１〜第５実施形態の冷却器２のいずれかが、あるいは、第１〜第５実施形態の冷却器２のいくつかを組み合わせたものが、車両１０に適用される。
つまり、第１〜第５実施形態の冷却器２のいずれかによって、あるいは、第１〜第５実施形態の冷却器２のいくつかを組み合わせたものによって、被冷却体３としての、第１電力変換回路部３１のスイッチング素子ＵＨ、ＵＬ、ＶＨ、ＶＬ、ＷＨ、ＷＬと、第２電力変換回路部３２のスイッチング素子ＵＨ、ＵＬ、ＶＨ、ＶＬ、ＷＨ、ＷＬと、第３電力変換回路部３３のスイッチング素子Ｓ１、Ｓ２とが冷却される。
【００７９】
図１１に示す例では、車両１０が、電力変換装置１に加えて、バッテリ１１（ＢＡＴＴ）と、走行駆動用の第１モータ１２（ＭＯＴ）、発電用の第２モータ１３（ＧＥＮ）とを備えている。
バッテリ１１は、バッテリケースと、バッテリケース内に収容される複数のバッテリモジュールとを備えている。バッテリモジュールは、直列に接続される複数のバッテリセルを備えている。バッテリ１１は、電力変換装置１の直流コネクタ１ａに接続される正極端子ＰＢ及び負極端子ＮＢを備えている。正極端子ＰＢ及び負極端子ＮＢは、バッテリケース内において直列に接続される複数のバッテリモジュールの正極端及び負極端に接続されている。
【００８０】
第１モータ１２は、バッテリ１１から供給される電力によって回転駆動力（力行動作）を発生させる。第２モータ１３は、回転軸に入力される回転駆動力によって発電電力を発生させる。ここで、第２モータ１３には、内燃機関の回転動力が伝達可能に構成されている。例えば、第１モータ１２及び第２モータ１３の各々は、３相交流のブラシレスＤＣモータである。３相は、Ｕ相、Ｖ相、及びＷ相である。第１モータ１２及び第２モータ１３の各々は、インナーロータ型である。第１モータ１２及び第２モータ１３は、界磁用の永久磁石を有する回転子と、回転子を回転させる回転磁界を発生させるための３相のステータ巻線を有する固定子とをそれぞれ備えている。第１モータ１２の３相のステータ巻線は、電力変換装置１の第１の３相コネクタ１ｂに接続されている。第２モータ１３の３相のステータ巻線は、電力変換装置１の第２の３相コネクタ１ｃに接続されている。
【００８１】
図１１に示す電力変換装置１は、パワーモジュール２１と、リアクトル２２と、コンデンサユニット２３と、抵抗器２４と、第１電流センサ２５と、第２電流センサ２６と、第３電流センサ２７と、電子制御ユニット２８（ＭＯＴ  ＧＥＮ  ＥＣＵ）と、ゲートドライブユニット２９（Ｇ／Ｄ  ＶＣＵ  ＥＣＵ）とを備えている。
パワーモジュール２１は、第１電力変換回路部３１と、第２電力変換回路部３２と、第３電力変換回路部３３とを備えている。
【００８２】
図１１に示す例では、第１電力変換回路部３１の出力側導電体５１は、まとめられて、第１の３相コネクタ１ｂに接続されている。すなわち、第１電力変換回路部３１の出力側導電体５１は、第１の３相コネクタ１ｂを介して第１モータ１２の３相のステータ巻線に接続されている。
第１電力変換回路部３１の正極側導電体ＰＩは、まとめられて、バッテリ１１の正極端子ＰＢに接続されている。
第１電力変換回路部３１の負極側導電体ＮＩは、まとめられて、バッテリ１１の負極端子ＮＢに接続されている。
つまり、第１電力変換回路部３１は、バッテリ１１から第３電力変換回路部３３を介して入力される直流電力を３相交流電力に変換する。
【００８３】
図１１に示す例では、第２電力変換回路部３２の出力側導電体５２は、まとめられて、第２の３相コネクタ１ｃに接続されている。すなわち、第２電力変換回路部３２の出力側導電体５２は、第２の３相コネクタ１ｃを介して第２モータ１３の３相のステータ巻線に接続されている。
第２電力変換回路部３２の正極側導電体ＰＩは、まとめられて、バッテリ１１の正極端子ＰＢと、第１電力変換回路部３１の正極側導電体ＰＩとに接続されている。
第２電力変換回路部３２の負極側導電体ＮＩは、まとめられて、バッテリ１１の負極端子ＮＢと、第１電力変換回路部３１の負極側導電体ＮＩとに接続されている。
第２電力変換回路部３２は、第２モータ１３から入力される３相交流電力を直流電力に変換する。第２電力変換回路部３２によって変換された直流電力は、バッテリ１１及び第１電力変換回路部３１の少なくとも一方に供給することが可能である。
【００８４】
図１１に示す例では、第１電力変換回路部３１のＵ相スイッチング素子ＵＨ、Ｖ相スイッチング素子ＶＨ、Ｗ相スイッチング素子ＷＨ、および、第２電力変換回路部３２のＵ相スイッチング素子ＵＨ、Ｖ相スイッチング素子ＶＨ、Ｗ相スイッチング素子ＷＨが、正極バスバーＰＩに接続されている。正極バスバーＰＩは、コンデンサユニット２３の正極バスバー５０ｐに接続されている。
第１電力変換回路部３１のＵ相スイッチング素子ＵＬ、Ｖ相スイッチング素子ＶＬ、Ｗ相スイッチング素子ＷＬ、および、第２電力変換回路部３２のＵ相スイッチング素子ＵＬ、Ｖ相スイッチング素子ＶＬ、Ｗ相スイッチング素子ＷＬが、負極バスバーＮＩに接続されている。負極バスバーＮＩは、コンデンサユニット２３の負極バスバー５０ｎに接続されている。
【００８５】
図１１に示す例では、第１電力変換回路部３１の第１バスバー５１が、第１入出力端子Ｑ１に接続されている。第１入出力端子Ｑ１は、第１の３相コネクタ１ｂに接続されている。第１電力変換回路部３１の各相の接続点ＴＩは、第１バスバー５１、第１入出力端子Ｑ１、及び第１の３相コネクタ１ｂを介して第１モータ１２の各相のステータ巻線に接続されている。
第２電力変換回路部３２の第２バスバー５２は、第２入出力端子Ｑ２に接続されている。第２入出力端子Ｑ２は、第２の３相コネクタ１ｃに接続されている。第２電力変換回路部３２の各相の接続点ＴＩは、第２バスバー５２、第２入出力端子Ｑ２、及び第２の３相コネクタ１ｃを介して第２モータ１３の各相のステータ巻線に接続されている。
【００８６】
図１１に示す例では、第１電力変換回路部３１のＵ相スイッチング素子ＵＨ、ＵＬと、Ｖ相スイッチング素子ＶＨ、ＶＬと、Ｗ相スイッチング素子ＷＨ、ＷＬとが、フライホイールダイオードを備えている。
同様に、第２電力変換回路部３２のＵ相スイッチング素子ＵＨ、ＵＬと、Ｖ相スイッチング素子ＶＨ、ＶＬと、Ｗ相スイッチング素子ＷＨ、ＷＬとが、フライホイールダイオードを備えている。
【００８７】
図１１に示す例では、ゲートドライブユニット２９が、第１電力変換回路部３１のＵ相スイッチング素子ＵＨ、ＵＬと、Ｖ相スイッチング素子ＶＨ、ＶＬと、Ｗ相スイッチング素子ＷＨ、ＷＬとにゲート信号を入力する。
同様に、ゲートドライブユニット２９は、第２電力変換回路部３２のＵ相スイッチング素子ＵＨ、ＵＬと、Ｖ相スイッチング素子ＶＨ、ＶＬと、Ｗ相スイッチング素子ＷＨ、ＷＬとにゲート信号を入力する。
第１電力変換回路部３１は、バッテリ１１から第３電力変換回路部３３を介して入力される直流電力を３相交流電力に変換し、第１モータ１２の３相のステータ巻線に交流のＵ相電流、Ｖ相電流、及びＷ相電流を供給する。第２電力変換回路部３２は、第２モータ１３の回転に同期がとられた第２電力変換回路部３２のＵ相スイッチング素子ＵＨ、ＵＬと、Ｖ相スイッチング素子ＶＨ、ＶＬと、Ｗ相スイッチング素子ＷＨ、ＷＬとのオン（導通）／オフ（遮断）駆動によって、第２モータ１３の３相のステータ巻線から出力される３相交流電力を直流電力に変換する。
【００８８】
第３電力変換回路部３３は、電圧コントロールユニット（ＶＣＵ）である。第３電力変換回路部３３は、１相分のスイッチング素子Ｓ１、Ｓ２を備えている。
【００８９】
スイッチング素子Ｓ１の正極側の電極は、正極バスバーＰＶに接続されている。正極バスバーＰＶは、コンデンサユニット２３の正極バスバー５０ｐに接続されている。スイッチング素子Ｓ２の負極側の電極は、負極バスバーＮＶに接続されている。負極バスバーＮＶは、コンデンサユニット２３の負極バスバー５０ｎに接続されている。コンデンサユニット２３の負極バスバー５０ｎは、バッテリ１１の負極端子ＮＢに接続されている。スイッチング素子Ｓ１の負極側の電極は、スイッチング素子Ｓ２の正極側の電極に接続されている。スイッチング素子Ｓ１と、スイッチング素子Ｓ２とは、フライホイールダイオードを備えている。
【００９０】
第３電力変換回路部３３のスイッチング素子Ｓ１とスイッチング素子Ｓ２との接続点を構成する第３バスバー５３は、リアクトル２２の一端に接続されている。リアクトル２２の他端は、バッテリ１１の正極端子ＰＢに接続されている。リアクトル２２は、コイルと、コイルの温度を検出する温度センサとを備えている。温度センサは、信号線によって電子制御ユニット２８に接続されている。
【００９１】
第３電力変換回路部３３は、ゲートドライブユニット２９からスイッチング素子Ｓ１のゲート電極とスイッチング素子Ｓ２のゲート電極とに入力されるゲート信号に基づき、スイッチング素子Ｓ１とスイッチング素子Ｓ２とのオン（導通）／オフ（遮断）を切り替える。
【００９２】
第３電力変換回路部３３は、昇圧時において、スイッチング素子Ｓ２がオン（導通）及びスイッチング素子Ｓ１がオフ（遮断）に設定される第１状態と、スイッチング素子Ｓ２がオフ（遮断）及びスイッチング素子Ｓ１がオン（導通）に設定される第２状態とを交互に切り替える。第１状態では、順次、バッテリ１１の正極端子ＰＢ、リアクトル２２、スイッチング素子Ｓ２、バッテリ１１の負極端子ＮＢへと電流が流れ、リアクトル２２が直流励磁されて磁気エネルギーが蓄積される。第２状態では、リアクトル２２に流れる電流が遮断されることに起因する磁束の変化を妨げるようにしてリアクトル２２の両端間に起電圧（誘導電圧）が発生する。リアクトル２２に蓄積された磁気エネルギーによる誘導電圧はバッテリ電圧に重畳されて、バッテリ１１の端子間電圧よりも高い昇圧電圧が第３電力変換回路部３３の正極バスバーＰＶと負極バスバーＮＶとの間に印加される。
【００９３】
第３電力変換回路部３３は、回生時において、第２状態と、第１状態とを交互に切り替える。第２状態では、順次、第３電力変換回路部３３の正極バスバーＰＶ、スイッチング素子Ｓ１、リアクトル２２、バッテリ１１の正極端子ＰＢへと電流が流れ、リアクトル２２が直流励磁されて磁気エネルギーが蓄積される。第１状態では、リアクトル２２に流れる電流が遮断されることに起因する磁束の変化を妨げるようにしてリアクトル２２の両端間に起電圧（誘導電圧）が発生する。リアクトル２２に蓄積された磁気エネルギーによる誘導電圧は降圧されて、第３電力変換回路部３３の正極バスバーＰＶ及び負極バスバーＮＶ間の電圧よりも低い降圧電圧がバッテリ１１の正極端子ＰＢと負極端子ＮＢとの間に印加される。
【００９４】
コンデンサユニット２３は、第１平滑コンデンサ４１と、第２平滑コンデンサ４２と、ノイズフィルタ４３と、を備えている。
【００９５】
第１平滑コンデンサ４１は、バッテリ１１の正極端子ＰＢと負極端子ＮＢとの間に接続されている。第１平滑コンデンサ４１は、第３電力変換回路部３３の回生時におけるスイッチング素子Ｓ１及びスイッチング素子Ｓ２のオン／オフの切換動作に伴って発生する電圧変動を平滑化する。
第２平滑コンデンサ４２は、第１電力変換回路部３１及び第２電力変換回路部３２の各々の正極バスバーＰＩ及び負極バスバーＮＩ間、並びに第３電力変換回路部３３の正極バスバーＰＶ及び負極バスバーＮＶ間に接続されている。第２平滑コンデンサ４２は、正極バスバー５０ｐ及び負極バスバー５０ｎを介して、複数の正極バスバーＰＩ及び負極バスバーＮＩ、並びに正極バスバーＰＶ及び負極バスバーＮＶに接続されている。第２平滑コンデンサ４２は、第１電力変換回路部３１及び第２電力変換回路部３２のＵ相スイッチング素子ＵＨ、ＵＬ、Ｖ相スイッチング素子ＶＨ、ＶＬ、Ｗ相スイッチング素子ＷＨ、ＷＬのオン／オフの切換動作に伴って発生する電圧変動を平滑化する。第２平滑コンデンサ４２は、第３電力変換回路部３３の昇圧時におけるスイッチング素子Ｓ１及びスイッチング素子Ｓ２のオン／オフの切換動作に伴って発生する電圧変動を平滑化する。
【００９６】
ノイズフィルタ４３は、第１電力変換回路部３１及び第２電力変換回路部３２の各々の正極バスバーＰＩ及び負極バスバーＮＩ間、並びに第３電力変換回路部３３の正極バスバーＰＶ及び負極バスバーＮＶ間に接続されている。ノイズフィルタ４３は、直列に接続される２つのコンデンサを備えている。２つのコンデンサの接続点は、車両１０のボディグラウンド等に接続されている。
抵抗器２４は、第１電力変換回路部３１及び第２電力変換回路部３２の各々の正極バスバーＰＩ及び負極バスバーＮＩ間、並びに第３電力変換回路部３３の正極バスバーＰＶ及び負極バスバーＮＶ間に接続されている。
【００９７】
第１電流センサ２５は、第１電力変換回路部３１の各相の接続点ＴＩを成し、第１入出力端子Ｑ１と接続される第１バスバー５１に配置され、Ｕ相、Ｖ相、及びＷ相の各々の電流を検出する。第２電流センサ２６は、第２電力変換回路部３２の各相の接続点ＴＩを成すとともに第２入出力端子Ｑ２と接続される第２バスバー５２に配置され、Ｕ相、Ｖ相、及びＷ相の各々の電流を検出する。第３電流センサ２７は、第１トランジスタＳ１及び第２トランジスタＳ２の接続点を成すとともにリアクトル２２と接続される第３バスバー５３に配置され、リアクトル２２に流れる電流を検出する。
第１電流センサ２５、第２電流センサ２６、及び第３電流センサ２７の各々は、信号線によって電子制御ユニット２８に接続されている。
【００９８】
電子制御ユニット２８は、第１モータ１２及び第２モータ１３の各々の動作を制御する。例えば、電子制御ユニット２８は、ＣＰＵ（Central Processing Unit）等のプロセッサによって所定のプログラムが実行されることにより機能するソフトウェア機能部である。ソフトウェア機能部は、ＣＰＵ等のプロセッサ、プログラムを格納するＲＯＭ（Read Only Memory）、データを一時的に記憶するＲＡＭ（Random Access Memory）、及びタイマー等の電子回路を備えるＥＣＵ（Electronic Control Unit）である。なお、電子制御ユニット２８の少なくとも一部は、ＬＳＩ（Large Scale Integration）等の集積回路であってもよい。例えば、電子制御ユニット２８は、第１電流センサ２５の電流検出値と第１モータ１２に対するトルク指令値に応じた電流目標値とを用いる電流のフィードバック制御等を実行し、ゲートドライブユニット２９に入力する制御信号を生成する。例えば、電子制御ユニット２８は、第２電流センサ２６の電流検出値と第２モータ１３に対する回生指令値に応じた電流目標値とを用いる電流のフィードバック制御等を実行し、ゲートドライブユニット２９に入力する制御信号を生成する。制御信号は、第１電力変換回路部３１及び第２電力変換回路部３２のＵ相スイッチング素子ＵＨ、ＵＬ、Ｖ相スイッチング素子ＶＨ、ＶＬ、Ｗ相スイッチング素子ＷＨ、ＷＬをオン（導通）／オフ（遮断）駆動するタイミングを示す信号である。例えば、制御信号は、パルス幅変調された信号等である。
【００９９】
ゲートドライブユニット２９は、電子制御ユニット２８から受け取る制御信号に基づいて、第１電力変換回路部３１及び第２電力変換回路部３２のＵ相スイッチング素子ＵＨ、ＵＬ、Ｖ相スイッチング素子ＶＨ、ＶＬ、Ｗ相スイッチング素子ＷＨ、ＷＬを実際にオン（導通）／オフ（遮断）駆動するためのゲート信号を生成する。例えば、ゲートドライブユニット２９は、制御信号の増幅及びレベルシフト等を実行して、ゲート信号を生成する。
ゲートドライブユニット２９は、第３電力変換回路部３３のスイッチング素子Ｓ１及びスイッチング素子Ｓ２の各々をオン（導通）／オフ（遮断）駆動するためのゲート信号を生成する。例えば、ゲートドライブユニット２９は、第３電力変換回路部３３の昇圧時における昇圧電圧指令又は第３電力変換回路部３３の回生時における降圧電圧指令に応じたデューティー比のゲート信号を生成する。デューティー比は、スイッチング素子Ｓ１及びスイッチング素子Ｓ２の比率である。
【０１００】
図１１に示す例では、第１から第５実施形態の冷却器２が車両１０に適用されるが、他の例では、例えばエレベータ、ポンプ、ファン、鉄道車両、空気調和機、冷蔵庫、洗濯機などのような車両１０以外のものに対して第１から第５実施形態の冷却器２を適用してもよい。
【０１０１】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
２…冷却器、３…被冷却体、４…冷却部、５…搭載部、６…放熱部、７Ａ…フィン、７Ｂ…フィン、７Ｃ…フィン、７Ｄ…フィン、７Ｅ…フィン、６Ａ…面、Ａ１…部分、６Ｂ…面、Ｂ１…部分、８…ケース部、８Ａ…リブ、９…冷媒流路、１…電力変換装置、１０…車両
【図１】
2019201101.tif 000003
【図２】
2019201101.tif 000004
【図３】
2019201101.tif 000005
【図４】
2019201101.tif 000006
【図５】
2019201101.tif 000007
【図６】
2019201101.tif 000008
【図７】
2019201101.tif 000009
【図８】
2019201101.tif 000010
【図９】
2019201101.tif 000011
【図１０】
2019201101.tif 000012
【図１１】
2019201101.tif 000013